(57)【要約】【課題】本発明は、従来フード付きウエアに付いているフードは、ファッション性を重視しほぼ飾りもしくは簡易帽子として頭を守ることだけに特化して作られているので、紫外線から保護する実用性のあるフードを提供する。【解決手段】フード付きウエアのフードの後頭部を縫わずに空いた状態にすることで、フードの位置を自由に移動することができる。すなわち、フードを１枚の布と考え、その布を使って顔の半分を覆うことで紫外線から守ったり、また、その布を首元に持ってくることで、顎から下のデコルテを紫外線から守ったりできるものである。また、後ろを閉じないことで風が抜けることもでき、涼しさを得ることができる。ポニーテールなど後頭部で髪を束ねる髪型の時も、後ろが開いているので、もたつくこともなくかぶることができる。【選択図】図１
2018131721.tif 000002
【特許請求の範囲】
【請求項１】
上着及びシャツ本体に縫着されているフードにおいて、頭頂部の位置から１ｃｍ以上、下方後部に向けた切れ目を設け、うなじが隠れる程度まで左右に割れており、開口部の口径の大きさは、人の頭が通る大きさであり、フード装着部分の後ろ中心部は右左２枚の布部の重なりが２ｃｍ以上できるようにしたフードを備えたことを特徴とする上着及びシャツ。
【発明の詳細な説明】
【技術分野】
【０００１】本発明は上着及びシャツに付随する頭に被るフードの形状に関する。
【背景技術】
【０００２】従来の上着についているフードはファッション性を重視し、ほぼ飾りもしくは簡易帽子として後頭部を守ることだけに特化して作られている。【０００３】夏の着用にはフードを被ることで暑さを感じ、髪を結わいた時のもたつき感が不快になる。【０００４】フードを被っただけでは、頭部は隠れるが頭部全体と考えると、紫外線対策としては限界があり、人の動きに合わせて顔や首を隠す必要がある。
【特許文献】特開２０１０−１５０７１９
【特許文献１】特開２００９−１６１８８２
【特許文献２】特開２０１０−６５３６２
【発明の概要】
【発明が解決しようとする課題】
【０００５】フードを飾りとして付けるのではなく、通気性を持たせ、上着を着たままフードの位置を変えることによって必要な部位を覆うことを目的としている。【０００６】本発明の前記並びにそのほかの目的は次の説明を添付図面と照らし合わせて読むと完全に明らかになるであろう。ただし、図面はもっぱら解説のためのものであって、本発明の技術的範囲を限定するものではない。
【発明を解決するための手段】
【０００７】上着及びシャツ本体に縫着されているフードにおいて、頭頂部の位置から１ｃｍ以上下方後部に向けた切れ目を設け、うなじが隠れる程度まで左右に割れており、開口部の口径の大きさは、人の頭が通る大きさであり、フード装着部分の後ろ中心部は右左２枚の布部の重なりが２ｃｍ以上できるようにしたフードを備えたことを特徴とする上着及びシャツ。
【０００８】上記目的を達成するために、第一に後ろを閉じないことで、フードとして被っていても、風が抜けることもでき、涼しさを得ることができる。また、ポニーテールなど後頭部で髪を束ねる髪型の時も、後ろが開いているので、もたつくこともなくかぶることができる。
【０００９】第二にフード付きウエアのフードの後頭部を縫わずに空いた状態にすることでフード後部の開口部から頭部を通して位置を自由に移動することができ、開口部を鼻の上で止めて、フード布で顔面の下半分を覆うことで目から下の顔面を守ることができる。
【００１０】第三に、そのフード後部の開口部に頭全体を通して、フードを首元にもってくることで、顎から下のデコルテを覆うことができる。なお、頭の大きさによるサイズ調整は、フード付け根の後ろ中心部に左右の布の重なりができるように縫われていることで対応可能である。
【発明の効果】
【００１１】以上詳述したように、本発明によるフードの後頭部を開口する上着を着用することで、あまり活用されなかったフードを紫外線対策として必要なところを覆うことができるフードとして活用できるものとなる。
【図面の簡単な説明】
【００１２】
【図１】胸から上のフードの部分を後ろから見た図
【図２】胸から上のフードの部分を前から見た図
【図３】胸から上のフードの部分を横から見た図
【図４】フードを被って横から見た着用写真
【図５】フードを顔の真ん中まで被った着用写真
【図６】フードを顎の下まで降ろして胸元を覆った着用写真
【発明を実施するための形態】
【００１３】以下、本発明の実施の形態を図１ないし３に基づいて説明する。これらの図に示す衣服は紫外線対策用としてＵＶカット素材の生地で作られた上着であることが望ましいが限定はしない。生地の厚みや素材によって同じ効果を得られるものもある。なお、フードの形態は左右対称となるので、図１および図５における図や写真は左右対称のため兼用として示している。
【実施例１】
【００１４】［図１］は本発明のフードを後ろから見た図である。本来閉じてある１の部分が縫われておらず、そこから結わいた髪の毛を出すことでフードの奥行に左右されずに被ることができる。また、後部に開口部があることで風のとおりもよく、夏でも通気性を保つことができる。２のところに顔がくるので、紫外線対策としてフードの端を顔の前まで持ってきて深く被ることも、視界を保つため顔の位置まで下げて浅く被ることも可能である。３の部分は後ろが開きすぎないように４のみ縫われている。被った横の図の様子が図５の写真である。【００１５】［図２］はフードを被った状態を前から見た図である。前は広く開いているが、後ろは３の合わせがあるので開きすぎず、頭を覆うフードとしての役割を果たす。【００１６】［図３］はフードを被った状態の横から見た図である。あくまでフードとして後頭部を守れるよう１の開きが最小になるよう４を重ねて縫うことで３の部分は２枚の布が重なっており、開口部の大きさに余裕が出来、顔の部分でフードが止まることができる。
【実施例２】
【００１７】［図１］のフードの１の部分に頭部を通し、顔の半分まで被った状態で止めると［図６］の写真のような状態になる。顔は目の辺りを除いて鼻から下をすべて覆うことができるので、帽子と兼用することで顔全体を紫外線から守ることができる。口元も布が被るだけなので、マスクほど息苦しくなることもなく着用できる。
【実施例３】
【００１８】［図１］のフードの１の部分に頭部を通し、顔を全部出すことで、フードの部分の布がすべて首元に集まり、［図７］のように首から胸元までを覆うことができる。胸元の空いた洋服で出かけるときに、ストールやネックガードを持たずに出かけても胸元を紫外線から守ることができる。
【産業上の利用可能性】
【００１９】本発明は株式会社ピーカブーのｅｐｏｃｈａｌブランドにて製造する産業で使用される。
【符号の説明】
【００２０】１．  後頭部の開口部
２．  フードの前部開口部
３．  生地の重なり部分
４．  重なって縫われている部分
【図１】
2018131721.tif 000003
【図２】
2018131721.tif 000004
【図３】
2018131721.tif 000005
2018131721.tif 000006
【手続補正書】
【提出日】平成29年7月25日(2017.7.25)
【手続補正１】
【補正対象書類名】明細書
【補正対象項目名】００１３
【補正方法】変更
【補正の内容】
【００１３】以下、本発明の実施の形態を図１ないし３に基づいて説明する。これらの図に示す衣服は紫外線対策用としてＵＶカット素材の生地で作られた上着であることが望ましいが限定はしない。生地の厚みや素材によって同じ効果を得られるものもある。なお、フードの形態は左右対称となるので、図１および図４における図や写真は左右対称のため兼用として示している。
【手続補正２】
【補正対象書類名】明細書
【補正対象項目名】００１４
【補正方法】変更
【補正の内容】
【００１４】［図１］は本発明のフードを後ろから見た図である。本来閉じてある１の部分が縫われておらず、そこから結わいた髪の毛を出すことでフードの奥行に左右されずに被ることができる。また、後部に開口部があることで風のとおりもよく、夏でも通気性を保つことができる。２のところに顔がくるので、紫外線対策としてフードの端を顔の前まで持ってきて深く被ることも、視界を保つため顔の位置まで下げて浅く被ることも可能である。３の部分は後ろが開きすぎないように４のみ縫われている。被った横の図の様子が図４の写真である。
【手続補正３】
【補正対象書類名】明細書
【補正対象項目名】００１７
【補正方法】変更
【補正の内容】
【００１７】［図１］のフードの１の部分に頭部を通し、顔の半分まで被った状態で止めると［図５］の写真のような状態になる。顔は目の辺りを除いて鼻から下をすべて覆うことができるので、帽子と兼用することで顔全体を紫外線から守ることができる。口元も布が被るだけなので、マスクほど息苦しくなることもなく着用できる。
【手続補正４】
【補正対象書類名】明細書
【補正対象項目名】００１８
【補正方法】変更
【補正の内容】
【００１８】［図１］のフードの１の部分に頭部を通し、顔を全部出すことで、フードの部分の布がすべて首元に集まり、［図６］のように首から胸元までを覆うことができる。胸元の空いた洋服で出かけるときに、ストールやネックガードを持たずに出かけても胸元を紫外線から守ることができる。
【手続補正５】
【補正対象書類名】図面
【補正対象項目名】全図
【補正方法】変更
【補正の内容】
【図１】
2018131721.tif 000007
【図２】
2018131721.tif 000008
【図３】
2018131721.tif 000009
【図４】
2018131721.tif 000010
【図５】
2018131721.tif 000011
【図６】
2018131721.tif 000012